(57)【特許請求の範囲】
【請求項１】
被測定者の血圧を測定するための測定手段と、
時刻を計測するための計時手段と、
測定された血圧データを測定時刻に関連する情報と対応付けて記憶するための記憶手段と、
前記被測定者により操作される操作手段と、
最新の血圧データと最古の血圧データと前記被測定者により指定された血圧データとのうちのいずれか１つの血圧データを基準の血圧データとして、前記記憶手段に記憶された血圧データのうち、前記基準の血圧データの測定時刻から所定時間内の測定時刻と対応付けられた血圧データを、特定データとして検索するための第１の検索手段と、
前記特定データに基づいて、平均値を算出するための平均値算出手段と、
算出された前記平均値を評価指標として表示するための信号を生成する生成手段と、
前記生成手段により生成された信号に対応する表示を行なうための表示手段とを備える、電子血圧計。
【請求項２】
前記記憶手段には、前記測定された血圧データと前記測定時刻とが対応付けられて記憶される、請求項１に記載の電子血圧計。
【請求項３】
前記第１の検索手段は、前記特定データのうち、所定の複数個の血圧データを選択するための第１の選択手段を含み、
前記平均値算出手段は、前記第１の選択手段により選択された血圧データの平均値を算出する、請求項２に記載の電子血圧計。
【請求項４】
前記第１の選択手段は、前記特定データが前記所定の複数個未満の場合には、前記特定データの全てを選択する、請求項３に記載の電子血圧計。
【請求項５】
前記基準の血圧データは前記最新の血圧データであり、
前記第１の検索手段は、前記最新の血圧データの測定時刻から前記所定時間内の測定時刻と対応付けられた血圧データを、前記特定データとして検索する、請求項２に記載の電子血圧計。
【請求項６】
前記基準の血圧データは前記最古の血圧データであり、
前記第１の検索手段は、前記最古の血圧データの測定時刻から前記所定時間内の測定時刻と対応付けられた血圧データを、前記特定データとして検索する、請求項２に記載の電子血圧計。
【請求項７】
前記基準の血圧データは、前記被測定者により指定された血圧データであり、
前記第１の検索手段は、前記指定された血圧データの測定時刻から前記所定時間内の測定時刻と対応付けられた血圧データを、前記特定データとして検索する、請求項２に記載の電子血圧計。
【請求項８】
前記操作手段は、前記記憶手段に記憶された血圧データに関する情報を呼び出すために設けられた操作スイッチであり、
前記操作スイッチが押下されることに応じて、前記基準の血圧データが特定される、請求項５〜７のいずれかに記載の電子血圧計。
【請求項９】
前記特定データのうち、最古の血圧データ、最新の血圧データ、および前記被測定者により指定された血圧データのうちのいずれかに対応する血圧値、または前記特定データの平均値を基準血圧値とし、前記第１の検索手段は、前記特定データのうち、前記基準血圧値から所定の変動許容範囲内の血圧データを選択するための第２の選択手段を含み、
前記平均値算出手段は、前記第２の選択手段により選択された前記所定の変動許容範囲内の血圧データの平均値を算出する、請求項２に記載の電子血圧計。
【請求項１０】
血圧測定ごとに、前記測定された血圧データの前記測定時刻から前記所定時間内の測定時刻と対応付けて記憶された血圧データを、対象の血圧データとして検索するための第２の検索手段と、
前記対象の血圧データのうち、最古の血圧データ、最新の血圧データ、および前記被測定者により指定された血圧データのうちのいずれかに対応する血圧値、または前記対象の血圧データの平均値を基準血圧値とし、前記対象の血圧データのうち、前記基準血圧値からの所定の変動許容範囲内の血圧データが所定の複数個存在するか否かを判断するための血圧データ個数判断手段と、
前記血圧データ個数判断手段により前記所定の複数個存在しないと判断された場合に、前記被測定者に再度の測定を促すための報知手段とをさらに備える、請求項２に記載の電子血圧計。
【請求項１１】
血圧測定ごとに、前記測定された血圧データの前記測定時刻から前記所定時間内の測定時刻と対応付けて記憶された血圧データを、対象の血圧データとして検索するための第２の検索手段と、
前記対象の血圧データのうち、最古の血圧データ、最新の血圧データ、および前記被測定者により指定された血圧データのうちのいずれかに対応する血圧値、または前記対象の血圧データの平均値を基準血圧値とし、前記対象の血圧データのうち、前記基準血圧値からの所定の変動許容範囲内の血圧データが所定の複数個存在するか否かを判断するための血圧データ個数判断手段とをさらに備え、
前記血圧データ個数判断手段により前記所定の複数個存在すると判断されるまで、前記測定手段による血圧の測定を繰返す、請求項２に記載の電子血圧計。
【請求項１２】
前記所定時間内に測定された複数の血圧データについて連続性の中断を検知するための検知手段と、
前記特定データのうち、前記検知手段により前記中断が検知された時刻以前もしくは以降の血圧データを除外するための除外手段とをさらに備え、
前記平均値算出手段は、前記除外手段による除外後の血圧データの平均値を算出する、請求項２に記載の電子血圧計。
【請求項１３】
前記測定手段は、
血圧測定部位に装着可能なカフと、
前記カフに加える圧力を調整するための加圧・減圧手段と、
前記カフ内の圧力を検出するための圧力検出手段と、
前記圧力検出手段で得られた信号より血圧を算出するための血圧算出手段とを含み、
前記検知手段は、前記連続性の中断として前記カフの脱着を検知する、請求項１２に記載の電子血圧計。
【請求項１４】
前記検知手段は、前記連続性の中断として前記操作手段からのＯＮ／ＯＦＦ信号を検知する、請求項１２に記載の電子血圧計。
【請求項１５】
前記電子血圧計の本体に開閉可能に接続されたカバーをさらに備え、
前記検知手段は、前記連続性の中断として前記カバーの開閉を検知する、請求項１２に記載の電子血圧計。
【請求項１６】
血圧測定ごとに、測定時刻が所定の時間帯に含まれるか否かを判断するための第１の時間帯判断手段と、
前記第１の時間帯判断手段により前記所定の時間帯に含まれると判断された場合に、前記所定の時間帯において最新の血圧データまたは前記所定の時間帯において最古の血圧データから前記所定時間内に測定された血圧データを選択するための第３の選択手段と、
前記第３の選択手段により選択された血圧データを、前記所定の時間帯と対応付けて前記記憶手段に格納するための格納手段とをさらに備える、請求項１に記載の電子血圧計。
【請求項１７】
前記第３の選択手段は、前記所定の時間帯において最新の血圧データから前記所定時間内に測定された血圧データを選択し、
前記格納手段は、前記最新の血圧データから新しい順に所定の複数個の血圧データを前記記憶手段に格納する、請求項１６に記載の電子血圧計。
【請求項１８】
前記第３の選択手段は、前記所定の時間帯において最古の血圧データから前記所定時間内に測定された血圧データを選択し、
前記格納手段は、前記最古の血圧データから古い順に所定の複数個の血圧データを前記記憶手段に格納する、請求項１６に記載の電子血圧計。
【請求項１９】
前記格納手段は、前記所定の時間帯に測定された血圧データが前記所定の複数個未満の場合には、前記所定の時間帯に測定された血圧データの全てを前記記憶手段に格納する、請求項１７または１８に記載の電子血圧計。
【請求項２０】
血圧測定ごとに、測定時刻が所定の複数の時間帯のうちいずれかの時間帯に含まれるか否かを判断するための第２の時間帯判断手段と、
前記第２の時間帯判断手段によりいずれかの時間帯に含まれると判断された場合に、前記測定時刻が含まれる時間帯における前記基準の血圧データから前記所定時間内に測定された血圧データを、前記特定データとして選択するための第４の選択手段と、
前記第４の選択手段により選択された前記特定データを、測定日および前記特定時間帯と対応付けて前記記憶手段に格納するための格納手段とをさらに備える、請求項１に記載の電子血圧計。
【請求項２１】
前記操作手段は、前記記憶手段において前記複数の時間帯のそれぞれと対応付けられた前記特定データの平均値を呼び出すために設けられた複数の操作スイッチを含み、
前記複数の操作スイッチのうち同一の操作スイッチが連続して押下される場合、前記同一の操作スイッチが押下される度に、前記平均値算出手段は、１日単位で順次対応する第１の時間帯における平均値を算出し、
前記同一の操作スイッチが押下された後に、他の操作スイッチが押下された場合には、前記平均値算出手段は、直前に平均値を算出した特定データの測定日の同日、翌日および前日のうちのいずれかに含まれる、前記他の操作スイッチに対応する第２の時間帯における平均値を算出する、請求項２０に記載の電子血圧計。
【請求項２２】
前記所定時間は、前記被測定者により設定可能である、請求項１に記載の電子血圧計。
【請求項２３】
前記計時手段からの時刻データに基づき、所定の時間間隔を計測するための計測手段と、
前記所定時間内において、前記所定の時間間隔が経過するごとに、前記測定手段による血圧測定を所定回数繰返すための繰返し手段とをさらに備える、請求項１に記載の電子血圧計。
【請求項２４】
前記繰返し手段での血圧測定の時間間隔および回数を設定するための設定手段をさらに備え、
前記所定時間は、前記時間間隔と前記回数とに基づき決定された時間である、請求項２３に記載の電子血圧計。
【発明の詳細な説明】
【技術分野】
【０００１】
本発明は、電子血圧計に関し、特に、測定した血圧データの平均値を算出可能な電子血圧計に関する。
【背景技術】
【０００２】
近年、高血圧を要因とする生活習慣病は一般的となってきており、健康管理の指標として血圧値を用いて血圧管理を行なうことは重要である。しかし、血圧は生活環境やストレスによって容易に変動する。よって、血圧測定の際、測定ごとの血圧値に一喜一憂するのではなく、トレンドによる管理や平均値を用いた管理方法が有用である。このことから、従来より、以下に示すような技術が提案されている。
【０００３】
たとえば、特許文献１には、空気袋（加圧帯）の加圧減圧を２サイクル以上好ましくは３サイクル自動的に繰返し、各サイクル毎に計測した最高血圧（収縮期血圧）、最低血圧（拡張期血圧）及び脈拍数／分の各平均値および計測値と平均値との上下最大偏差値を、最終サイクル終了時に自動的に計算して表示することが開示されている。また、繰返すサイクル数を予め設定できることも開示されている。
【０００４】
また、特許文献２には、次のような技術が開示されている。すなわち、各計測ポイントにて、血圧の生体による変動が余りない比較的短い期間に連続して血圧測定を第１規定の複数回行う。第１規定の複数回、または、第１規定複数回に至らない以前に、第２規定回の計測した血圧値の変動幅が規定値に入っていた場合、信頼性の高い計測が行われたと判断する。上記信頼性があると判断された場合、第２規定回計測された血圧値の平均値を計測データとし、血圧の日内変動回帰曲線を求める。一方、第１規定回数の繰り返し計測にて、第２規定回の血圧値の変動幅が規定値に入らなかった場合、第１規定回計測した血圧値の中から、値の近い第２規定個数の血圧値を選択して、選択した血圧値の平均値を計測データとして、血圧の日内変動回帰曲線を求める。
【特許文献１】特開２００２−１０２１８４号公報
【特許文献２】特許第３２０２３７４号公報
【発明の開示】
【発明が解決しようとする課題】
【０００５】
しかしながら、上記のような技術においては、時系列的に被測定者の心身状態や周囲環境が異なるときに測定したデータも含めて平均化され評価指標として扱われてしまう。また、連続測定による拘束時間が長くなり被測定者の血圧測定コンプライアンスの低下につながる、といった問題が生じる。
【０００６】
本発明は、上記のような問題を解決するためになされたものであって、その目的は、被測定者の血圧測定コンプライアンスを維持しつつ、有用な血圧管理が可能な電子血圧計を提供することである。
【課題を解決するための手段】
【０００７】
この発明のある局面に従う電子血圧計は、被測定者の血圧を測定するための測定手段と、時刻を計測するための計時手段と、測定された血圧データを測定時刻に関連する情報と対応付けて記憶するための記憶手段と、被測定者により操作される操作手段と、最新の血圧データと最古の血圧データと被測定者により指定された血圧データとのうちのいずれか１つの血圧データを基準の血圧データとして、記憶手段に記憶された血圧データのうち、基準の血圧データの測定時刻から所定時間内の測定時刻と対応付けられた血圧データを、特定データとして検索するための第１の検索手段と、特定データに基づいて、平均値を算出するための平均値算出手段と、算出された平均値を評価指標として表示するための信号を生成する生成手段と、生成手段により生成された信号に対応する表示を行なうための表示手段とを備える。
【０００８】
これにより、被測定者によって操作手段が操作されることに応じて、基準の血圧データから所定時間内に測定された血圧データに基づいて平均値が算出され、表示される。
【０００９】
好ましくは、記憶手段には、測定された血圧データと測定時刻とが対応付けられて記憶される。
【００１０】
好ましくは、第１の検索手段は、特定データのうち、所定の複数個の血圧データを選択するための第１の選択手段を含み、平均値算出手段は、第１の選択手段により選択された血圧データの平均値を算出する。
【００１１】
好ましくは、第１の選択手段は、特定データが所定の複数個未満の場合には、特定データの全てを選択する。
【００１２】
これにより、基準の血圧データから所定時間内に測定された血圧データが１つ、すなわち基準の血圧データのみであっても、基準の血圧データの数値が平均値算出手段による算出結果として表示される。
【００１３】
好ましくは、基準の血圧データは、最新の血圧データであり、第１の検索手段は、最新の血圧データの測定時刻から所定時間内の測定時刻と対応付けられた血圧データを、特定データとして検索する。
【００１４】
あるいは、基準の血圧データは、最古の血圧データであり、第１の検索手段は、最古の血圧データの測定時刻から所定時間内の測定時刻と対応付けられた血圧データを、特定データとして検索することが好ましい。
【００１５】
あるいは、基準の血圧データは、被測定者により指定された血圧データであり、第１の検索手段は、指定された血圧データの測定時刻から所定時間内の測定時刻と対応付けられた血圧データを、特定データとして検索することが好ましい。
【００１６】
好ましくは、操作手段は、記憶手段に記憶された血圧データに関する情報を呼び出すために設けられた操作スイッチであり、操作スイッチが押下されることに応じて、基準の血圧データが特定される。
【００１７】
好ましくは、特定データのうち、最古の血圧データ、最新の血圧データ、および被測定者により指定された血圧データのうちのいずれかに対応する血圧値、または特定データの平均値を基準血圧値とし、第１の検索手段は、特定データのうち、基準血圧値から所定の変動許容範囲内の血圧データを選択するための第２の選択手段を含み、第１の平均値算出手段は、第２の選択手段により選択された所定の変動許容範囲内の血圧データの平均値を算出する。
【００２０】
好ましくは、血圧測定ごとに、測定された血圧データの測定時刻から所定時間内の測定時刻と対応付けて記憶された血圧データを、対象の血圧データとして検索するための第２の検索手段と、対象の血圧データのうち、最古の血圧データ、最新の血圧データ、および被測定者により指定された血圧データのうちのいずれかに対応する血圧値、または対象の血圧データの平均値を基準血圧値とし、対象の血圧データのうち、基準血圧値からの所定の変動許容範囲内の血圧データが所定の複数個存在するか否かを判断するための血圧データ個数判断手段と、血圧データ個数判断手段により所定の複数個存在しないと判断された場合に、被測定者に再度の測定を促すための報知手段とをさらに備える。
【００２１】
あるいは、血圧測定ごとに、測定された血圧データの測定時刻から所定時間内の測定時刻と対応付けて記憶された血圧データを、対象の血圧データとして検索するための第２の検索手段と、対象の血圧データのうち、最古の血圧データ、最新の血圧データ、および被測定者により指定された血圧データのうちのいずれかに対応する血圧値、または対象の血圧データの平均値を基準血圧値とし、対象の血圧データのうち、基準血圧値からの所定の変動許容範囲内の血圧データが所定の複数個存在するか否かを判断するための血圧データ個数判断手段とをさらに備え、血圧データ個数判断手段により所定の複数個存在すると判断されるまで、測定手段による血圧の測定を繰返してもよい。
【００２４】
好ましくは、所定時間内に測定された複数の血圧データについて連続性の中断を検知するための検知手段と、特定データのうち、検知手段により中断事象が検知された時刻以前もしくは以降の血圧データを除外するための除外手段とをさらに備え、平均値算出手段は、除外手段による除外後の血圧データの平均値を算出する。
【００２５】
これにより、所定時間内に測定された血圧データが複数あったとしても、連続性があると推定される血圧データのみの平均値が算出される。
【００２６】
好ましくは、測定手段は、血圧測定部位に装着可能なカフと、カフに加える圧力を調整するための加圧・減圧手段と、カフ内の圧力を検出するための圧力検出手段と、圧力検出手段で得られた信号より血圧を算出するための血圧算出手段とを含み、検知手段は、連続性の中断としてカフの脱着を検知する。
【００２７】
あるいは、検知手段は、連続性の中断として操作手段からのＯＮ／ＯＦＦ信号を検知することが好ましい。
【００２８】
あるいは、電子血圧計の本体に開閉可能に接続されたカバーをさらに備え、検知手段は、連続性の中断としてカバーの開閉を検知することが好ましい。
【００２９】
好ましくは、血圧測定ごとに、測定時刻が所定の時間帯に含まれるか否かを判断するための第１の時間帯判断手段と、第１の時間帯判断手段により所定の時間帯に含まれると判断された場合に、所定の時間帯において最新の血圧データまたは所定の時間帯において最古の血圧データから所定時間内に測定された血圧データを選択するための第３の選択手段と、第３の選択手段により選択された血圧データを所定の時間帯と対応付けて記憶手段に格納するための格納手段とをさらに備える。
【００３０】
これにより、被測定者によって操作手段が操作されることに応じて、所定の時間帯のうちの所定時間内に測定された血圧データのみの平均値が算出され、表示される。
【００３１】
好ましくは、第３の選択手段は、所定の時間帯において最新の血圧データから所定時間内に測定された血圧データを選択し、格納手段は、最新の血圧データから新しい順に所定の複数個の血圧データを記憶手段に格納する。
【００３２】
なお、ここでの所定の時間帯は、好ましくは、夜（就寝前）に対応する時間帯である。
また、好ましくは、第３の選択手段は、所定の時間帯において最古の血圧データから所定時間内に測定された血圧データを選択し、基準の血圧データは、所定の時間帯において最古の血圧データであることが予め定められており、格納手段は、最古の血圧データから古い順に所定の複数個の血圧データを記憶手段に格納する。
【００３３】
なお、ここでの所定の時間帯は、好ましくは、朝（起床後）に対応する時間帯である。
好ましくは、格納手段は、所定の時間帯に測定された血圧データが所定の複数個未満の場合には、所定の時間帯に測定された血圧データの全てを記憶手段に格納する。
【００３４】
好ましくは、血圧測定ごとに、測定時刻が所定の複数の時間帯のうちいずれかの時間帯に含まれるか否かを判断するための第２の時間帯判断手段と、第２の時間帯判断手段によりいずれかの時間帯に含まれると判断された場合に、測定時刻が含まれる時間帯における基準の血圧データから所定時間内に測定された血圧データを、特定データとして選択するための第４の選択手段と、第４の選択手段により選択された特定データを、測定日および特定時間帯と対応付けて記憶手段に格納するための格納手段とをさらに備える。
【００３５】
好ましくは、操作手段は、記憶手段において複数の時間帯のそれぞれと対応付けられた特定データの平均値を呼び出すために設けられた複数の操作スイッチを含み、複数の操作スイッチのうち同一の操作スイッチが連続して押下される場合、同一の操作スイッチが押下される度に、平均値算出手段は、１日単位で順次対応する第１の時間帯における平均値を算出する。また、同一の操作スイッチが押下された後に、他の操作スイッチが押下された場合には、平均値算出手段は、直前に平均値を算出した特定データの測定日の同日、翌日および前日のうちのいずれかに含まれる、他の操作スイッチに対応する第２の時間帯における平均値を算出する。
【００３６】
好ましくは、所定時間は、被測定者により設定可能である。
好ましくは、計時手段からの時刻データに基づき、所定の時間間隔を計測するための計測手段と、所定時間内において、所定の時間間隔が経過するごとに、測定手段による血圧測定を所定回数繰返すための繰返し手段とをさらに備える。
【００３７】
好ましくは、繰返し手段での血圧測定の時間間隔および回数を設定するための設定手段をさらに備え、所定時間は、時間間隔と回数とに基づき決定された時間である。
【発明の効果】
【００３８】
本発明によると、被測定者からの指示に応じて、基準の血圧データから所定時間内に測定された血圧データに基づいて平均値が算出される。これにより、被測定者の心身状態や周囲環境の変化に起因する血圧変動を除去することが可能となる。したがって、評価指標の信頼性を向上させることができる。また、被測定者は、測定回数に縛られることなく、平均値算出に用いる測定回数を自由に決定することができる。これにより、血圧測定コンプライアンスへの弊害を防止することができる。
【発明を実施するための最良の形態】
【００３９】
本発明の実施の形態について図面を参照しながら詳細に説明する。なお、図中同一または相当部分には同一符号を付してその説明は繰返さない。
【００４０】
［実施の形態１］
図１は、本発明の実施の形態１に係る電子血圧計１００の概観図である。図１を参照して本実施の形態に係る電子血圧計１００は、血圧計本体１と、被測定者の血圧測定部位に装着されて空気圧により加圧するためのカフ２と、血圧計本体１とカフ２とを接続するエア管３と、カフ２およびエア管３を収納可能な収納部１０Ａと、血圧計本体１と開閉可能に接続されたカバー１０Ｂとを備える。カバー１０Ｂは、血圧計本体１の後方の側面にヒンジにて連結されており、カバー１０Ｂによって、収納部１０Ａおよび血圧計本体１の上面全体を覆うことができる。なお、収納部１０Ａのみを覆うものであってもよい。このカバー１０Ｂは、被測定者により開閉可能とされる。
【００４１】
血圧計本体１は、被測定者が表示内容を確認可能なように設けられた表示部４および、被測定者が外部から操作可能なように設けられた電源スイッチ５，測定スイッチ６，記憶呼出スイッチ７，時計設定スイッチ８を有する。なお、図１に示される朝記憶呼出スイッチ９．１および夜記憶呼出スイッチ９．２は、後述の実施の形態２で説明する。
【００４２】
電源スイッチ５は、血圧計本体１の電源をＯＮ／ＯＦＦするために操作される。測定スイッチ６は、血圧測定の開始を指示するために操作される。記憶呼出スイッチ７は、記憶されている血圧データに関する情報を呼び出すために操作される。時計設定スイッチ８は、時刻を設定するために操作される。
【００４３】
図２には血圧計本体１の内部構成が示される。図２を参照して、血圧計本体１は、カフ２に内蔵されている空気袋２１内の圧力（以下「カフ圧」という）により容量が変化する圧力センサ１４、圧力センサ１４の容量値に応じた発振周波数の信号をＣＰＵ２０に出力する発振回路１５、カフ圧のレベルを調整するためのポンプ１６および弁１８、ポンプ１６を駆動するポンプ駆動回路１７、弁１８の開閉度合を調整するための弁駆動回路１９、各部を集中的に制御および監視するためのＣＰＵ（Central Processing Unit）２０、表示部４、各種データおよびプログラムが格納されるメモリ１２、被測定者が操作可能な操作部２１０、計時動作して計時データを出力するタイマ１３、ブザー２４および、電力を供給するための電源部２５を備える。空気袋２１と圧力センサ１４、ポンプ１６および弁１８とはエア管３を介して接続される。ＣＰＵ２０は、発振回路１５から得られる信号を圧力信号に変換し圧力を検知する。
【００４４】
操作部２１０は、図１に示した電源スイッチ５、測定スイッチ６、記憶呼出スイッチ７、時計設定スイッチ８、朝記憶呼出スイッチ９．１および夜記憶呼出スイッチ９．２を含む。なお、本実施の形態においては、操作部２１０は、複数のスイッチにより構成されるものとしたが、スイッチに限定されるものではない。
【００４５】
上述した構成において、血圧測定に際しては、ＣＰＵ２０は、発振回路１５からの信号に基づき検知した圧力データについて所定のアルゴリズムを適用して、血圧値すなわち最高血圧・最低血圧を算出するとともに、脈拍数を算出する。このような測定の手順は従来から提供される周知の手順を適用できるから、ここではその詳細説明は略す。なお、以下、このように算出された血圧値、あるいは、血圧値および脈拍数を、「測定値」ともいう。本実施の形態において、測定値は、ＣＰＵ２０によって、血圧測定ごとに、測定時刻と対応付けてメモリ１２に格納される。また、ＣＰＵ２０は、測定値を表示するための信号を生成する。これにより、表示部４に測定値が表示される。
【００４６】
血圧管理においては、短期間に数回測定し、その測定値の平均値を血圧管理に用いることは望ましい。このことから、本実施の形態の電子血圧計１００は、平均値を算出する機能を有する。しかし、単にメモリ１２に記憶されている直近のたとえば３つの測定値を平均すると、次のようなデメリットが発生する。すなわち、たとえば被測定者が前日の夜に何回か血圧の測定を行ない、当日の朝には測定を２回しか行なわなかった場合、当日の２回の測定値と昨晩の１回の測定値の平均値が算出されることになる。これは、周囲環境や被測定者の心身状態によって敏感に変動する血圧の評価指標の算出方法としては好ましい方法とはいえない。よって本実施の形態に係る電子血圧計１００では、メモリ１２に記憶された最新（直近）の測定値と対応付けられた測定時刻から所定時間（たとえば１０分）以内の測定値のみ平均値算出に用いる。これにより、上述のようなデメリットを解消することができる。
【００４７】
より具体的には、ＣＰＵ２０は、操作部２１０からの操作信号に基づき、記憶呼出スイッチ７が押下されたことを検知すると、次のような処理を行なう。すなわち、メモリ１２に記憶された測定値のデータ（以下「測定データ」という）のうち、基準の測定データ、たとえば、最新の（直近の）測定データを特定し、基準の測定データの測定時刻から所定時間（たとえば１０分）内の測定時刻と対応付けられた測定データを検索する。そして、検索された測定データに基づいて、平均値を算出する。そして、算出された平均値を評価指標として表示するための信号を生成する。これにより、表示部４に、評価指標としての平均値が表示される。
【００４８】
このように、本実施の形態において、基準の測定データの測定時刻から所定時間内の測定時刻と対応付けられた測定データが平均値算出のために検索されて、選択（抽出）される。図３（Ａ）は、本発明の実施の形態１におけるメモリ１２のデータ構造の一例を示す図であり、図３（Ｂ）は、本発明の実施の形態１において平均値算出に用いられる測定データを示す概念図である。
【００４９】
図３（Ａ）を参照して、メモリ１２には、測定値と測定時刻とが対応付けられたレコードが、記憶データＭ１〜記憶データＭｍ（ただし、ｍ＝１，２，３，…）として格納される。各記憶データには、最高血圧を示す最高血圧データＳＢＰ、最低血圧を示す最低血圧データＤＢＰ、脈拍数を示す脈拍数データＰＬＳ、ならびに測定時刻データＴが格納される。測定時刻データＴは、タイマ１３により計時された測定時刻（測定開始または終了の時刻）のデータをＣＰＵ２０が入力して測定時刻データＴ（年・月・日・時・分）に変換して記憶データに格納する。なお、測定値と測定時刻とは、対応付けされて格納されればよく、レコードを用いた格納形式に限定されるものではない。
【００５０】
また、図３（Ｂ）を参照して、本実施の形態では、血圧測定の度に、最新の測定値が、記憶データＭ１として格納される。記憶データＭ１が最新の記憶データであり、記憶データＭ２が２番目の記憶データであり、記憶データＭｍは最古の記憶データである。したがって、図３（Ｂ）に示されるように、記憶データＭ１の測定時刻（Ｔ１）から１０分以内の測定時刻と対応付けられた記憶データＭ１〜Ｍ４が検索されて、平均値算出に用いられる。
【００５１】
ところで、これまでは同一環境・状態で必ず３回の測定を行わなければ正しい平均値算出を行なうことができない血圧計も存在したが、連続測定による被測定者の拘束時間が長くなり、被測定者の血圧測定コンプライアンスの弊害ともなりうる。
【００５２】
したがって、ＣＰＵ２０は、最新の測定データの測定時刻から１０分以内の測定時刻と対応付けられた所定の複数個（たとえば３つ）の測定データを選択し、選択した測定データについての平均値を算出してもよい。また、この場合、検索された測定データが所定の複数個に満たない場合には、検索された測定データの全てが選択されて、選択された測定データについての平均値が算出されてもよい。以下の説明においては、ＣＰＵ２０は、最新の測定データの測定時刻から１０分以内の測定時刻と対応付けられた測定データのうち、最新の測定データを含めて過去最大３回分のデータ、すなわち、最新の測定データを含めて新しい順に最大３個の測定データの平均値を算出するものとする。
【００５３】
なお、「血圧測定コンプライアンス」とは、継続して血圧測定を行なう意思あるいはモチベーションを意味する。
【００５４】
図４は、本発明の実施の形態１における平均値算出のためのデータ選択について説明するための図である。図４（Ａ）は、所定時間（１０分）の間に３回以上測定を行なった場合の概念図である。図４（Ｂ）は、所定時間（１０分）の間に２回測定を行なった場合の概念図である。図４（Ｃ）は、所定時間（１０分）の間に１回測定を行なった場合の概念である。
【００５５】
まず、図４（Ａ）を参照して、時間軸に沿って示される記憶データＭ１〜Ｍ６のうち、記憶データＭ１〜Ｍ４が、最新記憶データＭ１の測定時刻（Ｔ１）から１０分以内のデータである。本実施の形態では、所定時間内に測定された最大３回分の測定値を用いて平均値を算出するため、この場合、記憶データＭ１〜Ｍ３が平均値算出のための記憶データとして選択される。そして、記憶データＭ１〜Ｍ３それぞれの測定値の平均値が以下の式を用いて算出される。
【００５６】
ＳＢＰ平均＝（ＳＢＰ１＋ＳＢＰ２＋ＳＢＰ３）／３
ＤＢＰ平均＝（ＤＢＰ１＋ＤＢＰ２＋ＤＢＰ３）／３
ＰＬＳ平均＝（ＰＬＳ１＋ＰＬＳ２＋ＰＬＳ３）／３。
【００５７】
次に、図４（Ｂ）を参照して、時間軸に沿って示される記憶データＭ１〜Ｍ４のうち、記憶データＭ１，Ｍ２が、最新記憶データＭ１の測定時刻（Ｔ１）から１０分以内のデータである。本実施の形態では、所定時間内に測定された最大３回分の測定値を用いて平均値を算出するため、この場合、記憶データＭ１，Ｍ２が平均値算出のための記憶データとして選択される。そして、記憶データＭ１，Ｍ２それぞれの測定値の平均値が以下の式を用いて算出される。
【００５８】
ＳＢＰ平均＝（ＳＢＰ１＋ＳＢＰ２）／２
ＤＢＰ平均＝（ＤＢＰ１＋ＤＢＰ２）／２
ＰＬＳ平均＝（ＰＬＳ１＋ＰＬＳ２）／２。
【００５９】
最後に、図４（Ｃ）を参照して、時間軸に沿って示される記憶データＭ１〜Ｍ３のうち、記憶データＭ２，Ｍ３は、最新記憶データＭ１の測定時刻（Ｔ１）から１０分を超えたデータである。本実施の形態では、所定時間内に測定された最大３回分の測定値を用いて平均値を算出するため、この場合、記憶データＭ１のみが平均値算出のための記憶データとして選択される。そして、記憶データＭ１の測定値の平均値が以下の式を用いて算出される。
【００６０】
ＳＢＰ平均＝ＳＢＰ１
ＤＢＰ平均＝ＤＢＰ１
ＰＬＳ平均＝ＰＬＳ１。
【００６１】
このように、本実施の形態では、被測定者が所定時間内に１回あるいは２回しか測定を行なわなかった場合でも、平均値の算出が可能である。したがって、２回分の測定値の平均値でよいと被測定者が判断した場合、２回測定を行なってから記憶呼出スイッチ７を押すことで、３回平均を実行する場合と同じアルゴリズムにより２回の測定値の平均値を算出することができる。これにより、被測定者の血圧測定コンプライアンスの弊害を防止することができる。
【００６２】
なお、本実施の形態においては、基準の測定データ（記憶データ）は最新の測定データであることがたとえばメモリ１２に予め定められているものとして説明するが、最新の測定データに限らない。たとえば、最古の測定データであってもよいし、被測定者により指定された測定データであってもよい。「被測定者により指定された」とは、血圧測定時（血圧測定開始前または血圧測定終了時）に被測定者によって今回の測定値を基準の測定データとすることが指定されたことを表わす。よって、たとえば、操作部２１０に図示しない基準データスイッチがさらに設けられて、血圧測定時にこのスイッチが押下されて測定された測定値に対応する測定データが、「被測定者により指定された測定データ」となる。このような場合、たとえば、ＣＰＵ２０が指定された基準データであることを示す識別情報を測定データに対応付けてメモリ１２に記憶する。なお、複数回基準データスイッチが押下された場合には、最後に指定された測定データを、基準の測定データとしてもよい。
【００６３】
図５は、本発明の実施の形態１の電子血圧計１００におけるＣＰＵ２０が実行するメインルーチンのフローチャートである。図５のフローチャートは、予めプログラムとしてメモリ１２に格納されて、ＣＰＵ２０により読出されて実行される。なお、図５に示される処理は、たとえば電源スイッチ５が操作されて、電源部２５を介してＣＰＵ２０に電力が供給された場合に開始される処理である。
【００６４】
図５を参照して、はじめに、ＣＰＵ２０は、スイッチ操作の有無を判断する（ステップＳ（以下「Ｓ」と略す）２）。スイッチ操作が検出されるまで待機する（Ｓ２でＮＯ）。そして、スイッチ操作があったことが検知されると（Ｓ２でＹＥＳ）、操作されたスイッチの種別を判別する（Ｓ４）。
【００６５】
Ｓ４において測定スイッチ６と判別されると、Ｓ６へ進み、記憶呼出スイッチ７と判別されると、Ｓ１８へ進む。また、電源スイッチ５と判別されると、電源をＯＦＦにしてこの処理を終了する。
【００６６】
ここでまず、Ｓ６〜Ｓ１６に示される血圧測定に関する処理について説明する。はじめに、ＣＰＵ２０は、電子血圧計１００の初期化処理として、各部を制御して空気袋２１内の空気を排気し、圧力センサ１４の０ｍｍＨｇ補正を行なう（Ｓ６）。次に、ＣＰＵ２０は、各部を制御して、被測定者の最高血圧＋４０ｍｍＨｇ程度まで加圧する（Ｓ８）。そして、徐々にカフ圧を減圧していく（Ｓ１０）。この減圧過程においてカフ圧を圧力センサ１４で検出して、ＣＰＵ２０は検出された圧力に基づき血圧（最高血圧および最低血圧）値ならびに脈拍数を算出する（Ｓ１２）。そして、算出された血圧値および脈拍数を表示部４に表示する（Ｓ１４）。Ｓ８〜Ｓ１２の血圧測定のための処理は従来の電子血圧計のそれと同様である。なお、ここでは血圧測定は減圧過程でするとしているが加圧過程で行なうようにしてよい。
【００６７】
そして、ＣＰＵ２０は、測定値を測定時刻と対応付けて、記憶データＭ１としてメモリ１２に記憶する（Ｓ１６）。
【００６８】
次に、Ｓ１８の記憶呼出処理についてサブルーチンを挙げて説明する。
図６は、本発明の実施の形態１における記憶呼出処理を示すフローチャートである。図６のフローチャートもまた、予めプログラムとしてメモリ１２に格納されて、ＣＰＵ２０により読出されて実行される。
【００６９】
初めに、ＣＰＵ２０は、メモリ１２に記録された基準となる記憶データ（測定データ）すなわち、最新の記憶データＭ１を呼出す（Ｓ３２）。次に、ＣＰＵ２０は、メモリ１２に記憶された記憶データの数（以下「メモリ数」という）が１個かどうかを判断する（Ｓ３４）。メモリ数が１個であると判断した場合、つまり、メモリ１２には記憶データＭ１しか記憶されていない場合（Ｓ３４でＹＥＳ）、ＣＰＵ２０は、平均値ＡＶＥを記憶データＭ１の測定値として算出する（Ｓ５４）。
【００７０】
ステップＳ３４において、メモリ数が１個でないと判断した場合（Ｓ３４でＮＯ）、ＣＰＵ２０は、平均値算出に用いるための合計値ＳＵＭを‘０’に初期化する（Ｓ３６）。続いて、ＣＰＵ２０は、合計値ＳＵＭに記憶データＭ１の測定値を加算して更新する（Ｓ３８）。
【００７１】
次に、ＣＰＵ２０は、２番目の記憶データＭ２を呼出す（Ｓ４０）。そして、記憶データＭ２の測定時刻と記憶データＭ１の測定時刻との時間差が１０分以内否かを判断する（Ｓ４２）。時間差が１０分を超えていると判断した場合（Ｓ４２でＮＯ）、上述のＳ５４に進む。一方、時間差が１０分以内であると判断した場合（Ｓ４２でＹＥＳ）、合計値ＳＵＭに記憶データＭ２の測定値を加算して更新する（Ｓ４４）。
【００７２】
次に、ＣＰＵ２０は、メモリ数が３以上か否かを判断する（Ｓ４６）。メモリ数が３未満であると判断した場合（Ｓ４６でＮＯ）、記憶データＭ１の測定値と記憶データＭ２の測定値との平均値ＡＶＥを計算する（Ｓ５６）。より具体的には、ステップＳ４４で計算された合計値ＳＵＭをメモリ数‘２’で除算することで平均値ＡＶＥが算出される。
【００７３】
ステップＳ４６でメモリ数が３以上であると判断された場合（Ｓ４６でＹＥＳ）、ＣＰＵ２０は、３番目の記憶データＭ３を呼出す（Ｓ４８）。そして、記憶データＭ３の測定時刻と記憶データＭ１の測定時刻との時間差が１０分以内か否かを判断する（Ｓ５０）。１０分を超えていると判断した場合（Ｓ５０でＮＯ）、上述のＳ５６に進む。これに対し、記憶データＭ３の測定時刻と記憶データＭ１の測定時刻との時間差が１０以内であると判断した場合（Ｓ５０でＹＥＳ）、合計値ＳＵＭに記憶データＭ３の測定値を加算して更新する（Ｓ５２）。そして、ＣＰＵ２０は、記憶データＭ１、記憶データＭ２および記憶データＭ３それぞれの測定値の平均値ＡＶＥを算出する（Ｓ５８）。より具体的には、Ｓ５２で算出した合計値ＳＵＭをメモリ数‘３’で除算することにより平均値ＡＶＥが算出される。
【００７４】
そして、ＣＰＵ２０は、Ｓ５４、Ｓ５６およびＳ５８のいずれかで算出した平均値ＡＶＥを表示部４に表示する（Ｓ６０）。
【００７５】
続いて、ＣＰＵ２０は、記憶呼出スイッチ７が操作されたか否かを判断する（Ｓ６１）。記憶呼出スイッチ７が操作されたと判断した場合（Ｓ６１でＹＥＳ）、Ｓ６２に進む。これに対し、記憶呼出スイッチ７が操作されなかったと判断した場合（Ｓ６１でＮＯ）、一連の記憶呼出処理を終了する。
【００７６】
Ｓ６２において、ＣＰＵ２０は、最新の記憶データＭ１を呼出す。そして、呼出した記憶データを表示部４に表示する（Ｓ６４）。そして、さらに、記憶呼出スイッチ７が操作されたか否かを判断する（Ｓ６６）。記憶呼出スイッチ７が操作されたと判断した場合（Ｓ６６でＹＥＳ）、記憶データを１つ前（過去）のデータに更新して呼出し（Ｓ６８）、上記したＳ６４に戻る。これに対し、Ｓ６６で記憶呼出スイッチ７が操作されなかったと判断した場合（Ｓ６６でＮＯ）、一連の記憶呼出処理は終了される。
【００７７】
本発明の実施の形態１において、表示部４に表示される平均値あるいは測定値の表示例を図７に示す。図７（Ａ）は、図６のＳ６０で表示される画面の一例を示す図であり、図７（Ｂ）は、図６のＳ６４で表示される画面の一例を示す図である。
【００７８】
図７（Ａ）を参照して、表示部４には、メモリ１２に記憶された記憶データに関する情報が表示されていることを示す情報、たとえば「記録」で表わされる文字データ７４．１と、平均値が表示されていることを示す情報、たとえば「平均」で表わされる文字データ７４．２とがそれぞれ所定の表示領域に示される。そして、Ｓ５４，Ｓ５６およびＳ５８のいずれかで算出された平均値ＡＶＥすなわち、ＳＢＰ平均データ７１、ＤＢＰ平均データ７２およびＰＬＳ平均データ７３が所定の表示領域に表示される。
【００７９】
図７（Ｂ）を参照して、表示部４には、上記した文字データ７４．１と、Ｓ６２またはＳ６８で呼出された記憶データすなわち、ＳＢＰデータ７７、ＤＢＰデータ７８およびＰＬＳデータ７９と、測定時刻データ７６（たとえば５／０２、１０：１５）とがそれぞれ所定の表示領域に表示される。
【００８０】
このように、平均値算出のための記憶データ（測定データ）の選択を、記憶データに含まれる情報（最高血圧、最低血圧、脈拍数、時刻）のみで行なうことができるため、簡易な構成で、被測定者の心身状態や周囲環境の影響を除去することができる。
【００８１】
なお、平均値算出のための記憶データを検索する手順は、図６に示されるような手順に限られず、たとえば、各記憶データの測定時刻データＴに基づいて１０分以内の記憶データを検索した後に、４個目以降の記憶データを除外することとしてもよい。
【００８２】
また、本実施の形態では、記憶呼出スイッチ７が再度押下されると、測定データを１つずつ表示していくこととしたが、このように、測定データを１つずつ表示するためのスイッチを別途設けてもよい。
【００８３】
また、本実施の形態では、選択する測定データの個数を最大直近３個、所定時間を１０分として説明したが、これらは例示であって、他の数値であってもよい。また、選択する測定データの個数および所定時間が予めたとえばメモリ１２に記憶されているものとして説明したが、被測定者がこれらの数値を設定してもよく、また、これらの数値を変更できることとしてもよい。
【００８４】
また、本実施の形態では、記憶呼出スイッチ７が操作されたことに応じて、図６に示される平均値算出のための一連の処理が行なわれたが、血圧測定終了時（図５のＳ１６の後）に、図６のＳ３２〜Ｓ６０の処理が行なわれてもよい。
【００８５】
［実施の形態２］
次に、本発明の実施の形態２について説明する。実施の形態２に係る電子血圧計の構成は、実施の形態１と同様であるので、ここでも図１および図２に示した電子血圧計１００の符号を用いて説明する。
【００８６】
上述の実施の形態１では、記憶呼出スイッチ７が押下されることに応じて、メモリ１２に記憶された基準の（たとえば最新の）測定データの測定時刻から所定時間内の測定時刻と対応付けられた測定データに基づいて平均値が算出されるものであった。実施の形態２では、メモリ１２においてその時間帯と関連付けられる測定データのうち、基準の測定データの測定時刻から所定時間内に測定された測定データに基づいて平均値が算出される。つまり、実施の形態２では、実施の形態１の所定時間（たとえば１０分）に、さらに所定の時間帯という条件が付加されたものである。
【００８７】
実施の形態２では、２つの時間帯、たとえば「朝時間帯」および「夜時間帯」が予め定められているものとする。そして、操作部２１０には、これらの時間帯に測定された測定値の平均値を呼び出すための朝記憶呼出スイッチ９．１および夜記憶呼出スイッチ９．２がさらに含まれる。
【００８８】
なお、これらの時間帯は、被測定者により設定されるものであってもよい。また、被測定者が設定された時間帯を変更できてもよい。また、所定の時間帯は、「朝」、「夜」に対応する時間帯に限られず、１日（２４時間）の中に含まれる期間であればよい。たとえば、「運動前」、「運動後」に対応する時間帯などであってもよい。
【００８９】
また、本実施の形態では、２つの時間帯が定められていることとして説明するが、たとえば１つの時間帯のみが予め定められていて、その時間帯に測定された測定値の平均値を呼び出すための１つの時間帯呼出スイッチが設けられるものであってもよい。また、３つ以上の時間帯が予め定められていて、それらの時間帯に測定された測定値の平均値を呼び出すための複数の時間帯呼出スイッチが設けられるものであってもよい。
【００９０】
また、本実施の形態においても、実施の形態１で説明した記憶呼出スイッチ７も設けられているものとするが、このスイッチを設けない構成であってもよい。すなわち、所定の時間帯（朝時間帯、夜時間帯）に関連付けられる測定データのみが平均値算出のためのデータとして選択されるものであってもよい。
【００９１】
実施の形態２において、朝時間帯に対応付けられる測定データのうちの基準の測定データは、起床後直後であることが好ましく、たとえば、朝時間帯の中の最古の測定データとする。また、夜時間帯に対応付けられる測定データのうちの基準の測定データは、就寝直前であることが好ましく、たとえば、夜時間帯の中の最新の測定データとする。
【００９２】
また、実施の形態２においても、各時間帯の中で、基準の測定データの測定時刻から所定時間内に測定されたたとえば最大３回分の測定データの平均値が算出されるものとして説明する。なお、各時間帯の中で、基準の測定データの測定時刻から所定時間内に測定された全ての測定データが平均値算出のためのデータとして選択されてもよい。
【００９３】
図８は、実施の形態２における平均値算出のためのデータ選択について説明するための図である。図８（Ａ）は、１日（２４時間）における朝時間帯および夜時間帯を示す図である。図８（Ｂ）は、朝時間帯の平均値算出のためのデータ選択について説明するための図であり、図８（Ｃ）は、夜時間帯の平均値算出のためのデータ選択について説明するための図である。
【００９４】
図８（Ａ）に示されるように、本実施の形態の電子血圧計１００において、たとえば、朝の４時から翌日の朝の４時まで（前日の朝の４時から当日の朝の４時まで）を１日（２４時間）、４時から１０時までを朝時間帯、１６時から翌日の４時までを夜時間帯と予め設定されていると仮定する。
【００９５】
図８（Ｂ）を参照して、ある日の朝時間帯に、６回血圧測定が行なわれたとする。その場合の測定データを新しい順にＤＡ１〜ＤＡ６と表わすと、朝時間帯において最古の測定データＤＡ６から所定時間（１０分）内に測定された最大３回分の測定データＤＡ６〜ＤＡ４が、朝時間帯の平均値算出のためのデータとして選択される。
【００９６】
図８（Ｃ）を参照して、ある日の夜時間帯にも、同様に６回血圧測定が行なわれたとする。この場合の測定データを新しい順にＤＢ１〜ＤＢ６と表わすと、夜時間帯において最新の測定データＤＢ１から所定時間（１０分）内に測定された最大３回分の測定データＤＢ１〜ＤＢ３が、夜時間帯の平均値算出のためのデータとして選択される。図８（Ｂ）に示されるように、測定データＤＢ４は、基準となる最新の測定データＤＢ１から所定時間（１０分）内に含まれるが、除外されている。これにより、平均値算出アルゴリズムを簡易にすることができる。
【００９７】
図９は、本発明の実施の形態２の電子血圧計１００におけるＣＰＵ２０が実行するメインルーチンのフローチャートである。図９のフローチャートは、予めプログラムとしてメモリ１２に格納されて、ＣＰＵ２０により読出されて実行される。なお、図５に示される処理と同様の処理については同じステップ番号を付し、ここでの説明は繰返さない。
【００９８】
実施の形態２では、朝記憶呼出スイッチ９．１および夜記憶呼出スイッチ９．２が設けられるため、Ｓ４における操作スイッチの判別処理以降にＳ８４およびＳ８６の処理が追加され、Ｓ１６の後にＳ８２が追加されている。
【００９９】
図９を参照して、Ｓ４において、朝記憶呼出スイッチ９．１と判別されると、Ｓ８４に進み、夜記憶呼出スイッチ９．２と判別されると、Ｓ８６に進む。また、ＣＰＵ２０は、Ｓ１６において測定値をメモリ１２に記憶した後、時間帯別記憶処理を実行する（Ｓ８２）。これらのステップＳ８２、Ｓ８４およびＳ８６の詳細は、それぞれサブルーチンを挙げて説明する。
【０１００】
図１０は、本発明の実施の形態２におけるメモリ１２の構造例を示す図である。
図１０を参照して、記憶領域１２１には、日ごとの朝時間帯の平均値算出のための情報が格納され、記憶領域１２２には、日ごとの夜時間帯の平均値算出のための情報が格納される。記憶領域１２３は、実施の形態１と同様に、血圧測定ごとに記憶データＭ１〜Ｍｍが格納される。
【０１０１】
記憶領域１２１には、１日単位で、朝時間帯に測定された平均値算出のために選択された測定値の合計値と、データ数の情報とが対応付けられたレコードが、朝時間帯の記憶データＭＡ１〜ＭＡｎ（ただし、ｎ＝１，２，３，…）として格納される。
【０１０２】
同様に、記憶領域１２２には、１日単位で、夜時間帯に測定された平均値算出のために選択された測定値の合計値と、データ数の情報とが対応付けられたレコードが、夜時間帯の記憶データＭＢ１〜ＭＢｎ（ただし、ｎ＝１，２，３，…）として格納される。
【０１０３】
各記憶データには、平均値算出のための測定値の合計値を示す合計データＳＵＭと、基準時刻データＴｂと、データ数を示すデータ数情報Ｎとが格納される。合計データＳＵＭは、最高血圧の合計を示すデータＳＢＰｓ、最低血圧データの合計を示すデータＤＢＰｓおよび脈拍数の合計を示すデータＰＬＳｓを含む。また、基準時刻データＴｂとしては、各時間帯における基準の測定データの測定時刻（Ｔ）が格納される。
【０１０４】
このように、本実施の形態では、朝、夜それぞれの時間帯専用の記憶領域１２１および１２２が設けられるため、測定データと時間帯の情報とが対応付けられて記憶される。
【０１０５】
図１１は、時間帯別記憶処理（Ｓ８２）を示すフローチャートである。
初めに、ＣＰＵ２０は、Ｓ１６で記憶した測定値と対応付けて記憶した測定時刻データＴに基づき、時間帯を判別する（Ｓ１０２）。時間帯が朝と判別された場合、Ｓ１０４に進む。時間帯が夜と判別された場合、Ｓ１１６に進む。時間帯がその他、すなわち、朝・夜以外と判別された場合、この処理は終了される。
【０１０６】
Ｓ１０４において、今回の測定値がその日の朝時間帯の１回目か否かを判断する。１回目であると判断された場合（Ｓ１０４でＹＥＳ）、記憶データＭＡ１の合計値ＳＵＭおよびデータ数Ｎを‘０’に初期化する（Ｓ１０６）。そして、合計値ＳＵＭに記憶データＭ１の測定値を加算し、データ数Ｎを１とする（Ｓ１０８）。なお、Ｓ１０８において、記憶データＭ１の測定時刻データＴを基準時刻データＴｂとして記憶データＭＡ１に格納する。として、Ｓ１０８の処理が終わると、この処理は終了される。
【０１０７】
Ｓ１０４において、その日の朝時間帯の１回目でないと判断された場合（Ｓ１０４でＮＯ）、その日の朝時間帯の４回目以降か否かを判断する（Ｓ１１０）。４回目以降であると判断された場合（Ｓ１１０でＹＥＳ）、この処理は終了される。一方、４回目未満であると判断された場合（Ｓ１１０でＮＯ）、今回の（最新の）測定時刻と１回目の測定時刻との時間差が１０分以内か否かを判断する（Ｓ１１２）。１回目との時間差が１０分を超えていると判断した場合（Ｓ１１２でＮＯ）、この処理は終了される。一方、１回目との時間差が１０分以内であると判断された場合（Ｓ１１２でＹＥＳ）、合計値ＳＵＭに最新の記憶データＭ１を加算し、データ数Ｎを１インクリメントする（Ｓ１１４）。Ｓ１１４の処理が終わると、この処理は終了される。
【０１０８】
上述のＳ１０２において、ＣＰＵ２０は、時間帯が夜と判別された場合、合計値ＳＵＭを‘０’に初期化する（Ｓ１１６）。またＳ１１６において、ＣＰＵ２０は、記憶データＭ１の測定時刻データＴを基準時刻データＴｂとして記憶データＭＢ１に格納する。続いて、ＣＰＵ２０は、合計値ＳＵＭに記憶データＭ１の測定値を加算し、データ数Ｎを１とする（Ｓ１１８）。
【０１０９】
次に、ＣＰＵ２０は、記憶データＭ２の測定時刻が夜時間帯であるか否かを判断する（Ｓ１２０）。記憶データＭ２の測定時刻が夜時間帯でないと判断された場合（Ｓ１２０でＮＯ）、すなわち、記憶データＭ２の測定時刻が夜時間帯以外であるか、記憶データＭ２が存在しない場合、この処理は終了される。一方、記憶データＭ２の測定時刻が夜時間帯であると判断した場合（Ｓ１２０でＹＥＳ）、記憶データＭ２の測定時刻と記憶データＭ１の測定時刻との時間差は１０分以内か否かを判断する（Ｓ１２２）。時間差が１０分を超えていると判断した場合（Ｓ１２２でＮＯ）、この処理は終了される。一方、記憶データＭ２の測定時刻と記憶データＭ１の測定時刻との時間差が１０分以内であると判断した場合（Ｓ１２２でＹＥＳ）、合計値ＳＵＭに記憶データＭ２の測定値を加算し、データ数Ｎを１インクリメントして更新する（Ｓ１２４）。
【０１１０】
続いて、ＣＰＵ２０は、記憶データＭ３の測定時刻は夜時間帯であるか否かを判断する（Ｓ１２６）。記憶データＭ３の測定時刻が夜時間帯でないと判断した場合（Ｓ１２６でＮＯ）、すなわち、記憶データＭ３の測定時刻が夜時間帯以外であるか、記憶データＭ３が存在しない場合、この処理は終了される。一方、記憶データＭ３の測定時刻が夜時間帯であると判断した場合（Ｓ１２６でＹＥＳ）、記憶データＭ３の測定時刻と記憶データＭ１の測定時刻との時間差が１０分以内か否かを判断する（Ｓ１２８）。時間差が１０分を超えていると判断した場合（Ｓ１２８でＮＯ）、この処理は終了される。一方、記憶データＭ３の測定時刻と記憶データＭ１の測定時刻との時間差が１０分以内であると判断した場合（Ｓ１２８でＹＥＳ）、合計値ＳＵＭに記憶データＭ３の測定値を加算し、データ数Ｎを１インクリメントする（１３０）。Ｓ１３０の処理が終わると、一連の処理は終了される。
【０１１１】
図１２は、朝記憶呼出処理を示すフローチャートである。
初めに、ＣＰＵ２０は、最新の朝時間帯の記憶データＭＡ１を呼出す（Ｓ１４２）。次に、ＣＰＵ２０は、呼出した朝時間帯の記憶データに基づいて、平均値を算出する（Ｓ１４４）。より具体的には、以下の式に示されるように、合計値ＳＵＭ（ＳＢＰｓ，ＤＢＰｓ，ＰＬＳｓ）をデータ数Ｎで除算することで平均値が算出される。
【０１１２】
ＳＢＰ平均＝ＳＢＰｓ／Ｎ
ＤＢＰ平均＝ＤＢＰｓ／Ｎ
ＰＬＳ平均＝ＰＬＳｓ／Ｎ。
【０１１３】
そして、Ｓ１４４で算出した平均値を表示する（Ｓ１４６）。
次に、ＣＰＵ２０は、朝記憶呼出スイッチが再度操作されたか否かを判断する（Ｓ１４８）。朝記憶呼出スイッチが操作された判断した場合（Ｓ１４８でＹＥＳ）、朝記憶データを１つ前（過去）のデータに更新し、更新した朝記憶データを呼出す（Ｓ１５０）。Ｓ１５０の処理が終わると、上記したＳ１４４に戻る。
【０１１４】
Ｓ１４８において、朝記憶呼出スイッチが操作されなかったと判断した場合（Ｓ１４８でＮＯ）、この一連の処理は終了される。
【０１１５】
図１３は、夜記憶呼出処理を示すフローチャートである。
初めに、ＣＰＵ２０は、最新の夜時間帯の記憶データＭＢ１を呼出す（Ｓ１６２）。次に、ＣＰＵ２０は、呼出した夜時間帯の記憶データに基づいて、平均値を算出する（Ｓ１６４）。より具体的には、Ｓ１４４と同様に、合計値ＳＵＭ（ＳＢＰｓ，ＤＢＰｓ，ＰＬＳｓ）をデータ数Ｎで除算することで平均値が算出される。そして、Ｓ１６４で算出した平均値を表示する（Ｓ１６６）。
【０１１６】
次に、ＣＰＵ２０は、夜記憶呼出スイッチが再度操作されたか否かを判断する（Ｓ１６８）。夜記憶呼出スイッチが操作された判断した場合（Ｓ１６８でＹＥＳ）、夜記憶データを１つ前のデータに更新し、更新した夜記憶データを呼出す（Ｓ１７０）。Ｓ１７０の処理が終わると、上記したＳ１６４に戻る。
【０１１７】
Ｓ１６８において、夜記憶呼出スイッチが操作されなかったと判断した場合（Ｓ１６８でＮＯ）、この一連の処理は終了される。
【０１１８】
図１４は、本発明の実施の形態２における表示例を示す図である。図１４（Ａ）は、図１２のＳ１４６で表示される画面の一例を示す図であり、図１４（Ｂ）は、図１３のＳ１６６で表示される画面の一例を示す図である。
【０１１９】
図１４（Ａ）を参照して、表示部４には、上記した文字データ７４．１と、朝時間帯の平均値が表示されていることを示す情報、たとえば「朝」で表わされる文字データ７４．３とが所定の表示領域に表示され、夜時間帯の平均値が表示されていることを示す情報、たとえば「夜」で表わされる文字データ７４．４が所定の表示領域にグレー表示される。そして、Ｓ１４４で算出された平均値すなわち、ＳＢＰ平均データ７１Ａ、ＤＢＰ平均データ７２ＡおよびＰＬＳ平均データ７３Ａが所定の表示領域に表示される。また、該当の記憶データの基準時刻（Ｔｂ）データ７７Ａが所定の表示領域に表示される。
【０１２０】
図１４（Ｂ）を参照して、表示部４には、上記した文字データ７４．１と、夜時間帯の平均値が表示されていることを示す文字データ７４．４とが表示され、朝時間帯の平均値が表示されていることを示す文字データ７４．３はグレー表示される。そして、Ｓ１６４で算出された平均値すなわち、ＳＢＰ平均データ７１Ｂ、ＤＢＰ平均データ７２ＢおよびＰＬＳ平均データ７３Ｂが表示される。また、該当の記憶データの基準時刻（Ｔｂ）データ７７Ｂが所定の表示領域に表示される。
【０１２１】
なお、実施の形態２では、メモリ１２に朝時間帯および夜時間帯用の記憶領域を設けて、各時間帯の平均値算出のための情報が格納されることとしたが、これらの記憶領域を設けない構成であってもよい。この場合、実施の形態１と同様に、血圧測定ごとに記憶データＭ１〜Ｍｍをメモリ１２に格納し、たとえば朝記憶呼出スイッチ９．１が押下されると、各記憶データの測定時刻データＴに基づいて、直近の朝時間帯の平均値が算出されてもよい。
【０１２２】
また、何回か朝記憶呼出スイッチ９．１が押下されて過去の朝時間帯の記憶データが表示された後、次に夜記憶呼出スイッチ９．２が押下された場合、同一月日もしくは前日の夜時間帯の記憶データが即座に呼出されてもよい。つまり、朝記憶呼出スイッチ９．１が押下された後に、続いて夜記憶呼出スイッチ９．２が押下された場合には、直前に（最後に）平均値が算出された記憶データの測定日の同日または前日の夜時間帯（最後に平均値が算出された記憶データの測定日における朝時間帯の直前または直後に該当する夜時間帯）の記憶データの平均値が算出されてもよい。
【０１２３】
また、逆に、何回か夜記憶呼出スイッチ９．２が押下されて過去の夜時間帯の記憶データが表示された後、次に朝記憶呼出スイッチ９．１が押下された場合、同一月日もしくは翌日の朝時間帯の記憶データが即座に呼出されてもよい。つまり、夜記憶呼出スイッチ９．２が押下された後に、続いて朝記憶呼出スイッチ９．１が押下された場合には、直前に（最後に）平均値が算出された記憶データの測定日の同日または翌日の朝時間帯（最後に平均値が算出された記憶データの測定日における夜時間帯の直前または直後に該当する朝時間帯）の記憶データの平均値が算出されてもよい。
【０１２４】
［実施の形態３］
次に、本発明の実施の形態３について説明する。実施の形態３に係る電子血圧計の構成は、実施の形態１と同様であるので、ここでも図１および図２に示した電子血圧計１００の符号を用いて説明する。
【０１２５】
実施の形態１では、基準の測定データ、たとえば最新の測定データの測定時刻から所定時間（１０分）内の測定時刻と対応付けられた測定データのうち、最新の測定データを含めた最大３つの測定データを選択して平均値が算出された。実施の形態３では、個数ではなく、各測定データの数値に基づいて、平均値算出のための測定データが選択される。
【０１２６】
実施の形態３では、平均値算出のために、基準測定値（血圧値および脈拍数）からの変動許容範囲がたとえばメモリ１２に予め設定される。そして、ＣＰＵ２０は、基準測定値から変動許容範囲内の測定値を選択して、平均値を算出する。なお、変動許容範囲は、被測定者が設定・変更できてもよい。
【０１２７】
図１５（Ａ）は、実施の形態３での平均値算出のためのデータ選択について説明するための図である。図１５（Ｂ）は、実施の形態３での他の平均値算出のためのデータ選択について説明するための図である。
【０１２８】
本実施の形態において、基準測定値は、基準の測定データ、たとえば最古の測定データに対応する測定値が基準測定値とされる。なお、ここでも、基準の測定データは、最新の測定データであってもよいし、被測定者によって指定された測定データであってもよい。
【０１２９】
図１５（Ａ），（Ｂ）においては、血圧値についての変動許容範囲の例が示され、横軸を時間、縦軸を圧力値として表わす。
【０１３０】
図１５（Ａ）に示されるように、最古の測定データＤ１の血圧値から上下１０ｍｍＨｇが変動許容範囲として予め設定されていたと仮定する。そうすると、最古の測定データＤ１の血圧値を示す横軸と並行なライン１５１から＋１０ｍｍＨｇのライン１５２と、ライン１５１から−１０ｍｍＨｇのライン１５３との間の血圧データのみが平均値算出のためのデータとして選択される。そして、変動許容範囲外の血圧データは１０分以内であっても除外される。なお、このような変動許容範囲内か否かの判断を、最高血圧、最低血圧および脈拍数のそれぞれについて行なわれる。
【０１３１】
実施の形態３においては、たとえば、図６に示したフローチャートのうち、Ｓ４２において、たとえば、記憶データＭ２の測定時刻と記憶データＭ１の測定時刻との時間差が１０分以内であり、かつ、変動許容範囲内であるか否かを判断することとしてもよい。また、同様に、Ｓ５０において、このような判断を行なってもよい。
【０１３２】
また、このように、基準の測定データに対応する測定値を基準測定値とするものに限定されない。たとえば、図１５（Ｂ）に示されるように、所定時間（１０分）内の測定値（血圧値）の平均値（暫定平均値）を算出し、暫定平均値を基準測定値としてもよい。つまり、暫定平均値を示すライン１５１を基準として、ライン１５１から上下１０ｍｍＨｇのライン１５２，１５３の範囲内の血圧データが平均値算出のためのデータとして選択される。このようにして選択された測定データのみを用いて、最終的な平均値が算出される。
【０１３３】
また、上述のように、メモリ１２に記憶された測定データについて、変動許容範囲内か否かを判断したが、血圧測定ごとに、変動許容範囲内か否かが判断されてもよい。この場合、たとえば、測定された測定データの測定時刻から所定時間内の測定時刻と対応付けて記憶された測定データを検索し、検索された測定データのうち、基準血圧値からの所定の変動許容範囲内の測定データが所定の複数個（たとえば３つ）存在するか否かを判断する。そして、所定の複数個存在しないと判断された場合に、ブザー２４でアラーム音を発生させたり表示部４に所定の表示を行なうことで、被測定者に再度の測定を促してもよい。
【０１３４】
また、所定の複数個存在しないと判断された場合に、所定の複数個存在すると判断されるまで、図５に示されるＳ６〜Ｓ１６の処理を繰返してもよい。
【０１３５】
また、許容範囲内の測定データが所定の複数個に達してから平均値を算出することとしてもよい。また、所定時間（１０分）が過ぎた場合、所定の複数個に達していなくても平均値を算出してもよい。
【０１３６】
また、このような変動許容範囲内か否かの判断を、実施の形態２で説明した所定の時間帯の測定データに対して行なってもよい。
［実施の形態４］
次に、本発明の実施の形態４について説明する。実施の形態４に係る電子血圧計の構成は、実施の形態１と同様であるので、ここでも図１および図２に示した電子血圧計１００の符号を用いて説明する。
【０１３７】
実施の形態１では、基準の測定データ、たとえば最新の測定データの測定時刻から所定時間（１０分）内の測定時刻と対応付けられた測定データのうち、最新の測定データを含めた最大３つの測定データを選択して平均値が算出された。実施の形態４では、ＣＰＵ２０が所定時間内に連続性の中断を検知した場合には、中断が検知される以前もしくは以降の測定データのみを用いて平均値を算出する。たとえば、基準の測定データが最新の測定データである場合、中断が検知される以前の測定データは除外して、中断が検知される以降の測定データを選択して平均値が算出されることが好ましい。また、基準の測定データが最古の測定データである場合、中断が検知される以降の測定データは除外して、中断が検知される以前の測定データを選択して平均値が算出されることが好ましい。
【０１３８】
実施の形態４では、連続性の中断を検知するために、電子血圧計１００は、たとえば、カフ２の脱着を検出するための電極３１および電極３１からの信号を検知するための信号検知部３２をさらに備える。電極３１は、たとえば、カフ２を測定部位に巻き付けて止めるためのマジックテープ（登録商標）（図示せず）に設けられ、信号検知部３２は、血圧計本体１内に設けられる。なお、電極３１と信号検知部３２とは、たとえばエア管３と同軸に組まれた配線ケーブルにより接続される。
【０１３９】
電極３１は、マジックテープ（登録商標）の脱着が行なわれると電位が変化し、信号検知部３２は電位の変化の有無を検知する。そして、信号検知部３２は、電位の変化を検知した場合、ＣＰＵ２０に信号を与える。ＣＰＵ２０は、信号検知部３２からの信号を受け取ると、タイマ１３から時刻を取得し、取得した時刻（年、月、日、時、分）を、中断時刻としてたとえばメモリ１２に記録する。なお、信号検知部３２の処理を、ＣＰＵ２０に行なわせてもよい。
【０１４０】
そうすることで、記憶呼出スイッチ７が押下されると、ＣＰＵ２０は、メモリ１２内に記憶された中断時刻が、最新の測定データの測定時刻から１０分以内か否かを判断する。そして、１０分以内に存在すると判断した場合、中断時刻以前の測定データを除外する。つまり、ＣＰＵ２０は、最新の測定データの測定時刻から中断時刻までの間に存在する測定データを選択して、平均値を算出する。
【０１４１】
図１６は、実施の形態４における平均値算出のためのデータ選択について説明するための図である。図１６を参照して、時間軸に沿って示された記憶データＭ１〜Ｍ６のうち、記憶データＭ１〜Ｍ４が１０分以内の記憶データであったとする。そして、記憶データＭ２と記憶データＭ３との間にカフ２の脱着が検知された場合、つまり、記憶データＭ２の測定時刻と記憶データＭ３の測定時刻との間に中断時刻Ｐが存在する場合、記憶データＭ１およびＭ２（の測定データ）が、平均値算出のためのデータとして選択される。
【０１４２】
実施の形態４においては、たとえば、図６に示されるフローチャートのうち、Ｓ４２において、たとえば、記憶データＭ２の測定時刻と記憶データＭ１の測定時刻との時間差が１０分以内であり、かつ、中断時刻以前であるか否かを判断することとしてもよい。また、同様に、Ｓ５０において、このような判断を行なってもよい。
【０１４３】
このようにすることで、より十分に、被測定者の心身状態や周囲環境の変化に起因する血圧変動を除去することが可能となる。
【０１４４】
なお、以上の説明では、連続性の中断は、カフ２の脱着により検知されることとしたが、これに限定されない。たとえば、操作部２１０に含まれるたとえば電源スイッチ５のＯＮ／ＯＦＦ動作を、連続性の中断とみなしてもよい。この場合、ＣＰＵ２０は、電源スイッチ５からのＯＮ／ＯＦＦ信号を受信した時刻を、中断時刻としてメモリ１２に記録する。以降の処理は、上記カフ２の脱着の場合と同様に行なうことができる。
【０１４５】
また、カバー１０Ｂの開閉動作を、連続性の中断とみなしてもよい。この場合、たとえば、血圧計本体１内の、カバー１０Ｂのロック部に、カバー１０Ｂの開閉を検出するための開閉センサ３０を設けてもよい（図１参照）。この場合、ＣＰＵ２０は、開閉センサ３０からの検出信号に基づいて、カバー１０Ｂの開／閉を検知したときの時刻を、中断時刻としてメモリ１２に記録する。以降の処理は、上記カフ２の脱着の場合と同様に行なうことができる。なお、開閉センサ３０を、たとえばカバー１０Ｂのヒンジ部分に設けてもよい。あるいは、開閉センサ３０に代えて、カバー１０Ｂのロック部にスイッチを設けて、ＣＰＵ２０は、スイッチからのＯＮ／ＯＦＦ信号に基づいて、カバー１０Ｂの開／閉を検知してもよい。
【０１４６】
なお、上述のような、連続性の中断検知に基づくデータ選択を、実施の形態２で説明した所定の時間帯に含まれる所定時間内の測定データに対して行なってもよい。
【０１４７】
［実施の形態５］
次に、本発明の実施の形態５について説明する。実施の形態５に係る電子血圧計の構成は、実施の形態１と同様であるので、ここでも図１および図２に示した電子血圧計１００の符号を用いて説明する。
【０１４８】
実施の形態５の電子血圧計１００は、インターバル測定機能を有する。そして、インターバル測定された測定値の平均値を算出する。
【０１４９】
たとえばメモリ１２に予め時間間隔の情報および測定回数の情報が記憶されている。そして、ＣＰＵ２０は、タイマ１３から出力される時刻データに基づき時間間隔を計測し、測定回数をカウントする。カウント数が所定の測定回数となるまで、所定の時間間隔が経過するごとに、血圧測定（Ｓ６〜１６）を繰返す。
【０１５０】
本実施の形態では、このようなインターバル測定が、所定期間（１０分）内に行なえるものであってもよい。
【０１５１】
また、上述の実施の形態１〜４において、所定期間は、予め定められているか、被測定者により定められたものとして説明したが、本実施の形態においては、所定時間は、以下のようにして定められるものであってもよい。
【０１５２】
図１７は、本発明の実施の形態５における所定時間の設定方法を説明するための図である。本実施の形態において、インターバル測定のための時間間隔および測定回数が、被測定者により設定可能であるものとする。これらの設定は、たとえば、専用のスイッチ（図示せず）をさらに設けて、このスイッチを操作することで行なわれてもよい。あるいは、電源スイッチ５がＯＮされると表示部４にインターバル測定の設定メニューを表示して、所定のスイッチたとえば記憶呼出スイッチ７や時刻設定スイッチ８が操作されることで設定されてもよい。そして、設定された時間間隔と測定回数とを乗算することにより所定時間が決定される。
【０１５３】
図１７を参照して、たとえば、インターバル測定のための時間間隔がＴＩ時間、測定回数が３回と設定されていたとすると、所定時間＝ＴＩ×３として算出される。
【０１５４】
そして、このようなインターバル測定により測定された測定値についても、以下の式を用いて平均値算出処理を行なうことができる。
【０１５５】
ＳＢＰ平均＝（ＳＢＰ１＋ＳＢＰ２＋ＳＢＰ３）／３
ＤＢＰ平均＝（ＤＢＰ１＋ＤＢＰ２＋ＤＢＰ３）／３
ＰＬＳ平均＝（ＰＬＳ１＋ＰＬＳ２＋ＰＬＳ３）／３
なお、上述の本発明の実施の形態においては、測定部位として上腕を想定した上腕式の血圧計を例示して説明を行なったが、手首式のものなど四肢に装着されるものであれば適用が可能である。
【０１５６】
また、本発明の電子血圧計が行なう、平均値算出方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０１５７】
提供されるプログラム製品は、ハードディスクなどのプログラム格納部にインストールされて実行される。なお、プログラム製品は、プログラム自体と、プログラムが記録された記録媒体とを含む。
【０１５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５９】
【図１】本発明の実施の形態１〜５に係る電子血圧計の概観図である。
【図２】本発明の実施の形態１〜５に係る電子血圧計のブロック図である。
【図３】（Ａ）は、本発明の実施の形態１におけるメモリ１２のデータ構造の一例を示す図であり、（Ｂ）は、本発明の実施の形態１において平均値算出に用いられる測定データを示す概念図である。
【図４】（Ａ）〜（Ｃ）は、本発明の実施の形態１における平均値算出のためのデータ選択について説明するための図である。
【図５】本発明の実施の形態１の電子血圧計におけるＣＰＵが実行するメインルーチンのフローチャートである。
【図６】本発明の実施の形態１における記憶呼出処理を示すフローチャートである。
【図７】（Ａ）は、図６のＳ６０で表示される画面の一例を示す図であり、（Ｂ）は、図６のＳ６４で表示される画面の一例を示す図である。
【図８】（Ａ）〜（Ｃ）は、本発明の実施の形態２における平均値算出のためのデータ選択について説明するための図である。
【図９】本発明の実施の形態２の電子血圧計におけるＣＰＵが実行するメインルーチンのフローチャートである。
【図１０】本発明の実施の形態２におけるメモリ１２の構造例を示す図である。
【図１１】本発明の実施の形態２における時間帯別記憶処理を示すフローチャートである。
【図１２】本発明の実施の形態２における朝記憶呼出処理を示すフローチャートである。
【図１３】本発明の実施の形態２における夜記憶呼出処理を示すフローチャートである。
【図１４】（Ａ）は、図１２のＳ１４６で表示される画面の一例を示す図であり、（Ｂ）は、図１３のＳ１６６で表示される画面の一例を示す図である。
【図１５】（Ａ），（Ｂ）は、本発明の実施の形態３での平均値算出のためのデータ選択について説明するための図である。
【図１６】本発明の実施の形態４における平均値算出のためのデータ選択について説明するための図である。
【図１７】本発明の実施の形態５における所定時間の設定方法を説明するための図である。
【符号の説明】
【０１６０】
１  血圧計本体、２  カフ、３  エア管、４  表示部、５  電源スイッチ、６  測定スイッチ、７  記憶呼出スイッチ、８  時刻設定スイッチ、９．１  朝記憶呼出スイッチ、９．２  夜記憶呼出スイッチ、１０Ｂ  カバー、１０Ａ  収納部、１２  メモリ、１３  タイマ、１４  圧力センサ、１５  発振回路、１６  ポンプ、１７  ポンプ駆動回路、１８  弁、１９  弁駆動回路、２０  ＣＰＵ、２１  空気袋、２４  ブザー、２５  電源部
、３０  開閉センサ、３１  電極、３２  信号検知部、１００  電子血圧計、１２１，１２２，１２３  記憶領域、２１０  操作部。
【図１】
0004687321.tif 000002
【図２】
0004687321.tif 000003
【図３】
0004687321.tif 000004
【図４】
0004687321.tif 000005
【図５】
0004687321.tif 000006
【図６】
0004687321.tif 000007
【図７】
0004687321.tif 000008
【図８】
0004687321.tif 000009
【図９】
0004687321.tif 000010
【図１０】
0004687321.tif 000011
【図１１】
0004687321.tif 000012
【図１２】
0004687321.tif 000013
【図１３】
0004687321.tif 000014
【図１４】
0004687321.tif 000015
【図１５】
0004687321.tif 000016
【図１６】
0004687321.tif 000017
【図１７】
0004687321.tif 000018